(57)【特許請求の範囲】
【請求項１】
無線通信システムのための方法であって、
移動局から媒体アクセス制御（ＭＡＣ）管理メッセージを受信することと、ここで、前記ＭＡＣ管理メッセージは、関連付けられた再送信タイマを有する、
第１の変調および符号化スキーム（ＭＣＳ）を用いて、前記ＭＡＣ管理メッセージに対する第１の応答を送信することと、
前記再送信タイマよりも長い持続時間を有する応答タイマを開始することと、
前記応答タイマが終了する前に、前記移動局から前記ＭＡＣ管理メッセージの再送信を受信することと、
前記応答タイマが終了する前に、前記ＭＡＣ管理メッセージの再送信を受信することに基づいて、第２のＭＣＳを用いて、前記ＭＡＣ管理メッセージに対する第２の応答を送信することとを備え、
前記第２のＭＣＳは、前記移動局のキャリア対干渉および雑音比（ＣＩＮＲ）情報とは無関係なロバストさを有し、前記第１のＭＣＳよりもロバストである方法。
【請求項２】
前記第２のＭＣＳはまた、ダウンリンクＭＡＰメッセージを送信するためにも使用される請求項１に記載の方法。
【請求項３】
前記ＭＡＣ管理メッセージに対する１つの応答のみが、前記第２のＭＣＳを用いて、データ・バーストで送信される請求項１に記載の方法。
【請求項４】
無線通信システムのための方法であって、
移動局から媒体アクセス制御（ＭＡＣ）管理メッセージを受信することと、ここで、前記ＭＡＣ管理メッセージは、関連付けられた再送信タイマを有し、
第１の変調および符号化スキーム（ＭＣＳ）を用いて、第１のデータ・バーストで、前記ＭＡＣ管理メッセージに対する第１の応答を送信することと、
前記再送信タイマよりも長い持続時間を有する応答タイマを開始することと、
前記応答タイマが終了する前に、前記移動局から前記ＭＡＣ管理メッセージの再送信を受信することと、
前記応答タイマが終了する前に、前記ＭＡＣ管理メッセージの再送信を受信することに基づいて、第２のＭＣＳを用いて、前記ＭＡＣ管理メッセージに対する第２の応答を送信することとを備え、
前記第１のデータ・バーストのロバストさのレベルは、予め定義されたターゲット誤り率を、レポートされたキャリア対干渉および雑音比（ＣＩＮＲ）の値よりも低い値で達成するように設定される方法。
【請求項５】
無線通信システムのための方法であって、
移動局から媒体アクセス制御（ＭＡＣ）管理メッセージを受信することと、ここで、前記ＭＡＣ管理メッセージは、関連付けられた再送信タイマを有する、
第１の変調および符号化スキーム（ＭＣＳ）を用いて、第１のデータ・バーストで、前記ＭＡＣ管理メッセージに対する応答を送信することと、
前記再送信タイマよりも長い持続時間を有する応答タイマを開始することと、
前記応答タイマが終了する前に、前記ＭＡＣ管理メッセージに対する応答が、移動局で正しく受信されなかった場合、前記ＭＡＣ管理メッセージに対する応答の再送信のために使用される第２のデータ・バーストのロバストさのレベルを、前記第１のデータ・バーストに対して上げることと、
前記ＭＡＣ管理メッセージに対する応答が、前記移動局において正しく受信されるまで、前記ＭＡＣ管理メッセージに対する応答を再送信することと
を備え、
前記第１のデータ・バーストのロバストさのレベルは、予め定義された誤り率を、第１のキャリア対干渉および雑音比（ＣＩＮＲ）の値において達成するように設定され、
前記ＭＡＣ管理メッセージに対する応答の第２の送信のために使用される前記第２のデータ・バーストのロバストさのレベルは、予め定義された誤り率を、第２のＣＩＮＲの値において達成するように設定され、前記第２のＣＩＮＲの値は、前記第１のＣＩＮＲの値よりも小さい方法。
【請求項６】
前記ＭＡＣ管理メッセージに対する応答の第ｋの送信のために使用される第ｋのデータ・バーストのロバストさのレベルは、前記予め定義された誤り率を、第ｋのＣＩＮＲの値において達成するように設定され、前記第ｋのＣＩＮＲの値は、第（ｋ−１）のＣＩＮＲの値よりも小さく、ｋ＞２である請求項５に記載の方法。
【請求項７】
前記ＭＡＣ管理メッセージに対する応答を再送信するために使用される前記第ｋのデータ・バーストのロバストさのレベルは、予め定義された最大レベルのロバストさに達するまで高められる請求項６に記載の方法。
【請求項８】
予め定義された期間が経過する前に前記ＭＡＣ管理メッセージが受信された場合、前記ＭＡＣ管理メッセージに対する応答は、前記移動局へ正しく送信されない請求項５に記載の方法。
【請求項９】
前記ＭＡＣ管理メッセージに対する応答を送信するために、ハイブリッド自動反復要求（ＨＡＲＱ）チャネルが利用される請求項５に記載の方法。
【請求項１０】
ハイブリッド自動反復要求ネガティブ・アクノレッジメント（ＨＡＲＱ−ＮＡＣＫ）メッセージが受信された場合、前記ＭＡＣ管理メッセージに対する応答は、前記移動局に正しく送信されない請求項９に記載の方法。
【請求項１１】
前記ＨＡＲＱチャネルにおいて、第（ｋ−１）の送信のために使用されるロバストさのレベルよりも大きなロバストさのレベルで、前記ＭＡＣ管理メッセージに対する同じ応答をｋ回送信することをさらに備え、ｋ＞１である請求項１０に記載の方法。
【請求項１２】
前記ＭＡＣ管理メッセージに対する応答を送信するために使用されるロバストさのレベルは、前記第（ｋ−１）の送信から第ｋの送信へと、予め定義された最大レベルのロバストさに達するまで高められる請求項１１に記載の方法。
【請求項１３】
無線通信システムのための装置であって、
移動局から媒体アクセス制御（ＭＡＣ）管理メッセージを受信するためのロジックと、ここで、前記ＭＡＣ管理メッセージはそこに関連付けられた再送信タイマを有する、
第１の変調および符号化スキーム（ＭＣＳ）を用いて、前記ＭＡＣ管理メッセージに対する第１の応答を送信するためのロジックと、
前記再送信タイマよりも長い持続時間を有する応答タイマを開始するロジックと、
前記応答タイマが終了する前に、前記移動局から前記ＭＡＣ管理メッセージの再送信を受信するロジックと、
前記応答タイマが終了する前に、前記ＭＡＣ管理メッセージの再送信を受信することに基づいて、第２のＭＣＳを用いて、前記ＭＡＣ管理メッセージに対する第２の応答を送信するロジックとを備え、
前記第２のＭＣＳは、前記移動局のキャリア対干渉および雑音比（ＣＩＮＲ）情報とは無関係なロバストさを有し、前記第１のＭＣＳよりもロバストである装置。
【請求項１４】
前記第１のＭＣＳはまた、ダウンリンクＭＡＰメッセージを送信するためにも使用される請求項１３に記載の装置。
【請求項１５】
前記ＭＡＣ管理メッセージに対する１つの応答のみが、前記第２のＭＣＳを用いて、データ・バーストで送信される請求項１３に記載の装置。
【請求項１６】
無線通信システムのための装置であって、
移動局から媒体アクセス制御（ＭＡＣ）管理メッセージを受信するためのロジックと、ここで、前記ＭＡＣ管理メッセージは、関連付けられた再送信タイマを有する、
第１の変調および符号化スキーム（ＭＣＳ）を用いて、第１のデータ・バーストで、前記ＭＡＣ管理メッセージに対する応答を送信するためのロジックと、
前記再送信タイマよりも長い持続時間を有する応答タイマを開始するロジックと、
前記応答タイマが終了する前に、前記移動局から前記ＭＡＣ管理メッセージの再送信を受信するロジックと、
前記応答タイマが終了する前に、前記ＭＡＣ管理メッセージの再送信を受信することに基づいて、第２のＭＣＳを用いて、前記ＭＡＣ管理メッセージに対する第２の応答を送信するロジックとを備え、
前記第１のデータ・バーストのロバストさのレベルは、予め定義されたターゲット誤り率を、レポートされたキャリア対干渉および雑音比（ＣＩＮＲ）の値よりも低い値で達成するように設定される装置。
【請求項１７】
無線通信システムのための装置であって、
移動局から媒体アクセス制御（ＭＡＣ）管理メッセージを受信するためのロジックと、ここで、前記ＭＡＣ管理メッセージは、関連付けられた再送信タイマを有する、
第１の変調および符号化スキーム（ＭＣＳ）を用いて、第１のデータ・バーストで、前記ＭＡＣ管理メッセージに対する応答を送信するためのロジックと、
前記再送信タイマよりも長い持続時間を有する応答タイマを開始するためのロジックと、
前記応答タイマが終了する前に、前記ＭＡＣ管理メッセージに対する応答が、移動局で正しく受信されなかった場合、前記ＭＡＣ管理メッセージに対する応答の再送信のために使用される第２のデータ・バーストのロバストさのレベルを、前記第１のデータ・バースト対して上げるためのロジックと、
前記ＭＡＣ管理メッセージに対する応答が、前記移動局において正しく受信されるまで、前記ＭＡＣ管理メッセージに対する応答を再送信するためのロジックと
を備え、
前記第１のデータ・バーストのロバストさのレベルは、予め定義された誤り率を、第１のキャリア対干渉および雑音比（ＣＩＮＲ）の値において達成するように設定され、
前記ＭＡＣ管理メッセージに対する応答の第２の送信のために使用される前記第２のデータ・バーストのロバストさのレベルは、予め定義された誤り率を、第２のＣＩＮＲの値において達成するように設定され、前記第２のＣＩＮＲの値は、前記第１のＣＩＮＲの値よりも小さい装置。
【請求項１８】
前記ＭＡＣ管理メッセージに対する応答の第ｋの送信のために使用される第ｋのデータ・バーストのロバストさのレベルは、前記予め定義された誤り率を、第ｋのＣＩＮＲの値において達成するように設定され、前記ｋのＣＩＮＲの値は、第（ｋ−１）のＣＩＮＲの値よりも小さく、ｋ＞２である請求項１７に記載の装置。
【請求項１９】
前記ＭＡＣ管理メッセージに対する応答を再送信するために使用される前記第ｋのデータ・バーストのロバストさのレベルは、予め定義された最大レベルのロバストさに達するまで高められる請求項１８に記載の装置。
【請求項２０】
予め定義された期間が経過する前に前記ＭＡＣ管理メッセージが受信された場合、前記ＭＡＣ管理メッセージに対する応答は、前記移動局へ正しく送信されない請求項１７に記載の装置。
【請求項２１】
前記ＭＡＣ管理メッセージに対する応答を送信するために、ハイブリッド自動反復要求（ＨＡＲＱ）チャネルが利用される請求項１７に記載の装置。
【請求項２２】
ハイブリッド自動反復要求ネガティブ・アクノレッジメント（ＨＡＲＱ−ＮＡＣＫ）メッセージが受信された場合、前記ＭＡＣ管理メッセージに対する応答は、前記移動局に正しく送信されない請求項２１に記載の装置。
【請求項２３】
前記ＨＡＲＱチャネルにおいて、第（ｋ−１）の送信のために使用されるロバストさのレベルよりも大きなロバストさのレベルで、前記ＭＡＣ管理メッセージに対する同じ応答をｋ回送信するためのロジックをさらに備え、ｋ＞１である請求項２２に記載の装置。
【請求項２４】
前記ＭＡＣ管理メッセージに対する応答を送信するために使用されるロバストさのレベルは、前記第（ｋ−１）の送信から第ｋの送信へと、予め定義された最大レベルのロバストさに達するまで高められる請求項２３に記載の装置。
【請求項２５】
無線通信システムのための装置であって、
移動局から媒体アクセス制御（ＭＡＣ）管理メッセージを受信する手段と、ここで、前記ＭＡＣ管理メッセージはそこに関連付けられた再送信タイマを有する、
第１の変調および符号化スキーム（ＭＣＳ）を用いて、前記ＭＡＣ管理メッセージに対する第１の応答を送信する手段と、
前記再送信タイマよりも長い持続時間を有する応答タイマを開始する手段と、
前記応答タイマが終了する前に、前記移動局から前記ＭＡＣ管理メッセージの再送信を受信する手段と、
前記応答タイマが終了する前に、前記ＭＡＣ管理メッセージの再送信を受信することに基づいて、第２のＭＣＳを用いて、前記ＭＡＣ管理メッセージに対する第２の応答を送信する手段とを備え、
前記第２のＭＣＳは、前記移動局のキャリア対干渉および雑音比（ＣＩＮＲ）情報とは無関係なロバストさを有し、前記第１のＭＣＳよりもロバストである装置。
【請求項２６】
前記第２のＭＣＳはまた、ダウンリンクＭＡＰメッセージを送信するためにも使用される請求項２５に記載の装置。
【請求項２７】
前記ＭＡＣ管理メッセージに対する１つの応答のみが、前記第２のＭＣＳを用いて、データ・バーストで送信される請求項２５に記載の装置。
【請求項２８】
無線通信システムのための装置であって、
移動局から媒体アクセス制御（ＭＡＣ）管理メッセージを受信する手段と、前記ＭＡＣ管理メッセージは、関連付けられた再送信タイマを有する、
第１の変調および符号化スキーム（ＭＣＳ）を用いて、第１のデータ・バーストで、前記ＭＡＣ管理メッセージに対する第１の応答を送信する手段と、
前記再送信タイマよりも長い持続時間を有する応答タイマを開始する手段と、
前記応答タイマが終了する前に、前記移動局から前記ＭＡＣ管理メッセージの再送信を受信する手段と、
前記応答タイマが終了する前に、前記ＭＡＣ管理メッセージの再送信を受信することに基づいて、第２のＭＣＳを用いて、前記ＭＡＣ管理メッセージに対する第２の応答を送信する手段とを備え、
前記第１のデータ・バーストのロバストさのレベルは、予め定義されたターゲット誤り率を、レポートされたキャリア対干渉および雑音比（ＣＩＮＲ）の値よりも低い値で達成するように設定される装置。
【請求項２９】
無線通信システムための装置であって、
移動局から媒体アクセス制御（ＭＡＣ）管理メッセージを受信する手段と、ここで、前記ＭＡＣ管理メッセージは、関連付けられた再送信タイマを有する、
第１の変調および符号化スキーム（ＭＣＳ）を用いて、第１のデータ・バーストで、前記ＭＡＣ管理メッセージに対する応答を送信する手段と、
前記再送信タイマよりも長い持続時間を有する応答タイマを開始する手段と、
前記応答タイマが終了する前に、前記ＭＡＣ管理メッセージに対する応答が、移動局で正しく受信されなかった場合、前記ＭＡＣ管理メッセージに対する応答の再送信のために使用される第２のデータ・バーストのロバストさのレベルを、前記第１のデータ・バーストに対して上げる手段と、
前記ＭＡＣ管理メッセージに対する応答が、前記移動局において正しく受信されるまで、前記ＭＡＣ管理メッセージに対する応答を再送信する手段と
を備え、
前記第１のデータ・バーストのロバストさのレベルは、予め定義された誤り率を、第１のキャリア対干渉および雑音比（ＣＩＮＲ）の値において達成するように設定され、
前記ＭＡＣ管理メッセージに対する応答の第２の送信のために使用される前記第２のデータ・バーストのロバストさのレベルは、予め定義された誤り率を、第２のＣＩＮＲの値において達成するように設定され、前記第２のＣＩＮＲの値は、前記第１のＣＩＮＲの値よりも小さい装置。
【請求項３０】
前記ＭＡＣ管理メッセージに対する応答の第ｋの送信のために使用される第ｋのデータ・バーストのロバストさのレベルは、前記予め定義された誤り率を、第ｋのＣＩＮＲの値において達成するように設定され、前記ｋのＣＩＮＲの値は、第（ｋ−１）のＣＩＮＲの値よりも小さく、ｋ＞２である請求項２９に記載の装置。
【請求項３１】
前記ＭＡＣ管理メッセージに対する応答を再送信するために使用される前記第ｋのデータ・バーストのロバストさのレベルは、予め定義された最大レベルのロバストさに達するまで高められる請求項３０に記載の装置。
【請求項３２】
予め定義された期間が経過する前に前記ＭＡＣ管理メッセージが受信された場合、前記ＭＡＣ管理メッセージに対する応答は、前記移動局へ正しく送信されない請求項２９に記載の装置。
【請求項３３】
前記ＭＡＣ管理メッセージに対する応答を送信するために、ハイブリッド自動反復要求（ＨＡＲＱ）チャネルが利用される請求項２９に記載の装置。
【請求項３４】
ハイブリッド自動反復要求ネガティブ・アクノレッジメント（ＨＡＲＱ−ＮＡＣＫ）メッセージが受信された場合、前記ＭＡＣ管理メッセージに対する応答は、前記移動局に正しく送信されない請求項３３に記載の装置。
【請求項３５】
前記ＨＡＲＱチャネルにおいて、第（ｋ−１）の送信のために使用されるロバストさのレベルよりも大きなロバストさのレベルで、前記ＭＡＣ管理メッセージに対する同じ応答をｋ回送信する手段をさらに備え、ｋ＞１である請求項３４に記載の装置。
【請求項３６】
前記ＭＡＣ管理メッセージに対する応答を送信するために使用されるロバストさのレベルは、第（ｋ−１）の送信から第ｋの送信へと、予め定義された最大レベルのロバストさに達するまで高められる請求項３５に記載の装置。
【請求項３７】
無線通信システムのためのコンピュータ読取可能な記憶媒体であって、
移動局から媒体アクセス制御（ＭＡＣ）管理メッセージを受信するための命令群と、ここで、前記ＭＡＣ管理メッセージは、関連付けられた再送信タイマを有する、
第１の変調および符号化スキーム（ＭＣＳ）を用いて、前記ＭＡＣ管理メッセージに対する第１の応答を送信するための命令群と、
前記再送信タイマよりも長い持続時間を有する応答タイマを開始する命令群と、
前記応答タイマが終了する前に、前記移動局から前記ＭＡＣ管理メッセージの再送信を受信する命令群と、
前記応答タイマが終了する前に、前記ＭＡＣ管理メッセージの再送信を受信することに基づいて、第２のＭＣＳを用いて、前記ＭＡＣ管理メッセージに対する第２の応答を送信する命令群とを記憶し、
前記第２のＭＣＳは、前記移動局のキャリア対干渉および雑音比（ＣＩＮＲ）情報とは無関係なロバストさを有し、前記第１のＭＣＳよりもロバストである、コンピュータ読取可能な記憶媒体。
【請求項３８】
前記第２のＭＣＳはまた、ダウンリンクＭＡＰメッセージを送信するためにも使用される請求項３７に記載のコンピュータ読取可能な記憶媒体。
【請求項３９】
前記ＭＡＣ管理メッセージに対する１つの応答のみが、前記第２のＭＣＳを用いて、データ・バーストで送信される請求項３７に記載のコンピュータ読取可能な記憶媒体。
【請求項４０】
無線通信システムのためのコンピュータ読取可能な記憶媒体であって、
移動局から媒体アクセス制御（ＭＡＣ）管理メッセージを受信するための命令群と、ここで、前記ＭＡＣ管理メッセージはそこに関連付けられた再送信タイマを有する、
第１の変調および符号化スキーム（ＭＣＳ）を用いて、前記ＭＡＣ管理メッセージに対する第１の応答を送信するための命令群と、
前記再送信タイマよりも長い持続時間を有する応答タイマを開始する命令群と、
前記応答タイマが終了する前に、前記移動局から前記ＭＡＣ管理メッセージの再送信を受信する命令群と、
前記応答タイマが終了する前に、前記ＭＡＣ管理メッセージの再送信を受信することに基づいて、第２のＭＣＳを用いて、前記ＭＡＣ管理メッセージに対する第２の応答を送信する命令群とを記憶し、
第１のデータ・バーストのロバストさのレベルは、予め定義されたターゲット誤り率を、レポートされたキャリア対干渉および雑音比（ＣＩＮＲ）の値よりも低い値で達成するように設定される、コンピュータ読取可能な記憶媒体。
【請求項４１】
無線通信システムのためのコンピュータ読取可能な記憶媒体であって、
移動局から媒体アクセス制御（ＭＡＣ）管理メッセージを受信するための命令群と、ここで、前記ＭＡＣ管理メッセージは、関連付けられた再送信タイマを有する、
第１の変調および符号化スキーム（ＭＣＳ）を用いて、第１のデータ・バーストで、前記ＭＡＣ管理メッセージに対する応答を送信するための命令群と、
前記再送信タイマよりも長い持続時間を有する応答タイマを開始するための命令群と、
前記応答タイマが終了する前に、前記ＭＡＣ管理メッセージに対する応答が、移動局で正しく受信されなかった場合、前記ＭＡＣ管理メッセージに対する応答の再送信のために使用される第２のデータ・バーストのロバストさのレベルを、前記第１のデータ・バーストに対して上げるための命令群と、
前記ＭＡＣ管理メッセージに対する応答が、前記移動局において正しく受信されるまで、前記ＭＡＣ管理メッセージに対する応答を再送信するための命令群とを記憶し、
前記第１のデータ・バーストのロバストさのレベルは、予め定義された誤り率を、第１のキャリア対干渉および雑音比（ＣＩＮＲ）の値において達成するように設定され、
前記ＭＡＣ管理メッセージに対する応答の第２の送信のために使用される前記第２のデータ・バーストのロバストさのレベルは、前記予め定義された誤り率を、第２のＣＩＮＲの値において達成するように設定され、前記第２のＣＩＮＲの値は、前記第１のＣＩＮＲの値よりも小さい、コンピュータ読取可能な記憶媒体。
【請求項４２】
前記ＭＡＣ管理メッセージに対する応答の第ｋの送信のために使用される前記第ｋのデータ・バーストのロバストさのレベルは、前記予め定義された誤り率を、第ｋのＣＩＮＲの値において達成するように設定され、前記第ｋのＣＩＮＲの値は、第（ｋ−１）のＣＩＮＲの値よりも小さく、ｋ＞２である請求項４１に記載のコンピュータ読取可能な記憶媒体。
【請求項４３】
前記ＭＡＣ管理メッセージに対する応答を再送信するために使用される前記第ｋのデータ・バーストのロバストさのレベルは、予め定義された最大レベルのロバストさに達するまで高められる請求項４２に記載のコンピュータ読取可能な記憶媒体。
【請求項４４】
予め定義された期間が経過する前に前記ＭＡＣ管理メッセージが受信された場合、前記ＭＡＣ管理メッセージに対する応答は、前記移動局へ正しく送信されない請求項４１に記載のコンピュータ読取可能な記憶媒体。
【請求項４５】
前記ＭＡＣ管理メッセージに対する応答を送信するために、ハイブリッド自動反復要求（ＨＡＲＱ）チャネルが利用される請求項４１に記載のコンピュータ読取可能な記憶媒体。
【請求項４６】
ハイブリッド自動反復要求ネガティブ・アクノレッジメント（ＨＡＲＱ−ＮＡＣＫ）メッセージが受信された場合、前記ＭＡＣ管理メッセージに対する応答は、前記移動局に正しく送信されない請求項４５に記載のコンピュータ読取可能な記憶媒体。
【請求項４７】
前記ＨＡＲＱチャネルにおいて、第（ｋ−１）の送信のために使用されるロバストさのレベルよりも大きなロバストさのレベルで、前記ＭＡＣ管理メッセージに対する同じ応答をｋ回送信するための命令群をさらに記憶し、ｋ＞１である請求項４６に記載のコンピュータ読取可能な記憶媒体。
【請求項４８】
前記ＭＡＣ管理メッセージに対する応答を送信するために使用されるロバストさのレベルは、前記第（ｋ−１）の送信から第ｋの送信へと、予め定義された最大レベルのロバストさに達するまで高められる請求項４７に記載のコンピュータ読取可能な記憶媒体。
【発明の詳細な説明】
【技術分野】
【０００１】
本開示のある実施形態は、一般に、無線通信に関し、さらに詳しくは、基地局から移動局へ送信される応答メッセージの送信信頼性を向上するための方法に関する。
【発明の概要】
【０００２】
本開示の実施形態は、無線通信システムのための方法を提供する。この方法は一般に、移動局から媒体アクセス制御（ＭＡＣ）管理メッセージを受信することと、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信することとを含む。
【０００３】
本開示の実施形態は、無線通信システムのための方法を提供する。この方法は一般に、移動局から媒体アクセス制御（ＭＡＣ）管理メッセージを受信することと、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信することとを含む。ここで、第１のデータ・バーストのロバストさのレベルは、予め定義されたターゲット誤り率を、レポートされたキャリア対干渉および雑音比（ＣＩＮＲ）の値よりも低い値で達成するように設定される。
【０００４】
本開示のある実施形態は、無線通信システムのための方法を提供する。この方法は一般に、移動局から媒体アクセス制御（ＭＡＣ）管理メッセージを受信することと、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信することと、ＭＡＣ管理メッセージに対する応答が、前の送信中に、移動局で正しく受信されなかった場合、ＭＡＣ管理メッセージに対する応答の再送信のために使用される第１のデータ・バーストのロバストさのレベルを、前の送信に対して上げることと、ＭＡＣ管理メッセージに対する応答が、移動局において正しく受信されるまで、ＭＡＣ管理メッセージに対する応答を再送信することとを含む。
【０００５】
本開示の実施形態は、無線通信システムのための装置を提供する。この装置は一般に、移動局から媒体アクセス制御（ＭＡＣ）管理メッセージを受信するためのロジックと、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信するためのロジックとを含む。
【０００６】
本開示の実施形態は、無線通信システムのための装置を提供する。この装置は一般に、移動局から媒体アクセス制御（ＭＡＣ）管理メッセージを受信するためのロジックと、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信するためのロジックとを含む。ここで、第１のデータ・バーストのロバストさのレベルは、予め定義されたターゲット誤り率を、レポートされたキャリア対干渉および雑音比（ＣＩＮＲ）の値よりも低い値で達成するように設定される。
【０００７】
本開示のある実施形態は、無線通信システムのための装置を提供する。この装置は一般に、移動局から媒体アクセス制御（ＭＡＣ）管理メッセージを受信するためのロジックと、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信するためのロジックと、ＭＡＣ管理メッセージに対する応答が、前の送信中に、移動局で正しく受信されなかった場合、ＭＡＣ管理メッセージに対する応答の再送信のために使用される第１のデータ・バーストのロバストさのレベルを、前の送信に対して上げるためのロジックと、ＭＡＣ管理メッセージに対する応答が、移動局において正しく受信されるまで、ＭＡＣ管理メッセージに対する応答を再送信するためのロジックとを含む。
【０００８】
本開示の実施形態は、無線通信システムのための装置を提供する。この装置は一般に、移動局から媒体アクセス制御（ＭＡＣ）管理メッセージを受信する手段と、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信する手段とを含む。
【０００９】
本開示の実施形態は、無線通信システムのための装置を提供する。この装置は一般に、移動局から媒体アクセス制御（ＭＡＣ）管理メッセージを受信する手段と、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信する手段とを含む。ここで、第１のデータ・バーストのロバストさのレベルは、予め定義されたターゲット誤り率を、レポートされたキャリア対干渉および雑音比（ＣＩＮＲ）の値よりも低い値で達成するように設定される。
【００１０】
本開示の実施形態は、無線通信システムための装置を提供する。この装置は一般に、移動局から媒体アクセス制御（ＭＡＣ）管理メッセージを受信する手段と、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信する手段と、ＭＡＣ管理メッセージに対する応答が、前の送信中に、移動局で正しく受信されなかった場合、ＭＡＣ管理メッセージに対する応答の再送信のために使用される第１のデータ・バーストのロバストさのレベルを、前の送信に対して上げる手段と、ＭＡＣ管理メッセージに対する応答が、移動局において正しく受信されるまで、ＭＡＣ管理メッセージに対する応答を再送信する手段とを含む。
【００１１】
本開示の実施形態は、１または複数のプロセッサによって実行可能な、格納された命令群を有するコンピュータ読取可能媒体を備える、無線通信システムのためのコンピュータ・プログラム製品を提供する。これら命令群は一般に、移動局から媒体アクセス制御（ＭＡＣ）管理メッセージを受信するための命令群と、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信するための命令群とを含む。
【００１２】
本開示の実施形態は、１または複数のプロセッサによって実行可能な、格納された命令群を有するコンピュータ読取可能媒体を備える、無線通信システムのためのコンピュータ・プログラム製品を提供する。これら命令群は一般に、移動局から媒体アクセス制御（ＭＡＣ）管理メッセージを受信するための命令群と、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信するための命令群とを含む。ここで、第１のデータ・バーストのロバストさのレベルは、予め定義されたターゲット誤り率を、レポートされたキャリア対干渉および雑音比（ＣＩＮＲ）の値よりも低い値で達成するように設定される。
【００１３】
本開示のある実施形態は、１または複数のプロセッサによって実行可能な、格納された命令群を有するコンピュータ読取可能媒体を備える、無線通信システムのためのコンピュータ・プログラム製品を提供する。これら命令群は一般に、移動局から媒体アクセス制御（ＭＡＣ）管理メッセージを受信するための命令群と、第２のデータ・バーストを送信するために使用される第２の変調および符号化スキーム（ＭＣＳ）よりもよりロバストな第１のＭＣＳを用いて、第１のデータ・バーストで、ＭＡＣ管理メッセージに対する応答を送信するための命令群と、ＭＡＣ管理メッセージに対する応答が、前の送信中に、移動局で正しく受信されなかった場合、ＭＡＣ管理メッセージに対する応答の再送信のために使用される第１のデータ・バーストのロバストさのレベルを、前の送信に対して上げるための命令群と、ＭＡＣ管理メッセージに対する応答が、移動局において正しく受信されるまで、ＭＡＣ管理メッセージに対する応答を再送信するための命令群とを含む。
【図面の簡単な説明】
【００１４】
本開示の上述した特徴がより詳細に理解されるように、上記に要約されたより具体的な記載が、そのいくつかが添付図面に例示された実施形態に対する参照によってなされている。しかし、添付図面は、本開示のある種の典型的な実施形態しか示しておらず、これら説明は、他の同等に効果的な実施形態をも可能にすることができ、本開示の範囲を限定するものとは考えられないことに留意されたい。
【図１】図１は、本開示のある実施形態による、無線通信システムを例示する。
【図２】図２は、本開示のある実施形態にしたがって無線デバイス内で利用されうるさまざまな構成要素を例示する。
【図３】図３は、本開示のある実施形態にしたがって、無線通信システム内で使用されうる送信機の例および受信機の例を示す。
【図４】図４は、本開示のある実施形態にしたがって、基地局（ＢＳ）から移動局（ＭＳ）への制御メッセージの失敗した送信の例を図示する。
【図５】図５は、本開示のある実施形態にしたがって、制御メッセージの送信信頼性を向上するための動作例を例示する。
【図５Ａ】図５Ａは、図５で例示された動作を実行することが可能な構成要素の例を例示する。
【図６】図６は、本開示のある実施形態にしたがって、制御メッセージの送信信頼性を向上するためのＢＳとＭＳとの間のシグナリングの例を例示する。
【図７】図７は、本開示のある実施形態にしたがって、制御メッセージの送信信頼性を向上するためのＢＳとＭＳとの間のシグナリングの例を例示する。
【発明を実施するための形態】
【００１５】
「典型的である」という単語は「例、事例、あるいは実例として役立つ」ことを意味するために本明細書で使用される。本明細書で「典型的である」と記載されたあらゆる実施形態は、他の実施形態によりも好適であるとか有利であるとか解釈される必要は必ずしもない。
【００１６】
ワールドワイド・インタオペラビリティ・フォー・マイクロウェーブ・アクセス（ＷｉＭＡＸ）規格は、移動局（ＭＳ）と基地局（ＢＳ）との間のハンドシェークのための媒体アクセス制御（ＭＡＣ）管理メッセージを定義する。サービス提供ＢＳからＭＳへトラフィック・モードで送信されるＭＡＣ管理メッセージは、しばしば、高い信頼性の送信を必要とする。ＢＳからＭＳへ送信される応答タイプのＭＡＣ管理メッセージの例は、モバイル・スリープ応答（ＭＯＢ＿ＳＬＰ−ＲＳＰ）メッセージ、モバイル・スキャニング応答（ＭＯＢ＿ＳＣＮ−ＲＳＰ）メッセージ、モバイル登録解除コマンド（ＭＯＢ＿ＤＲＥＧ−ＣＭＤ）メッセージ等を備える。
【００１７】
ＢＳがＭＡＣ管理応答メッセージを送信し、ＭＳがそれを受信しない場合、ＭＳおよびＢＳの動作モードは、同期を失いうる。これは、スループットの損失あるいは、コールの喪失をもたらしうる。
【００１８】
（典型的な無線通信システム）  
本明細書に記載された技術は、直交多重化スキームに基づく通信システムを含むさまざまなブロードバンド無線通信システムのために使用される。そのような通信システムの例は、直交周波数分割多元接続（ＯＦＤＭＡ）システム、シングル・キャリア周波数分割多元接続（ＳＣ−ＦＤＭＡ）システム等を含んでいる。ＯＦＤＭＡシステムは、直交周波数分割多重化（ＯＦＤＭ）を利用する。それは、システム帯域幅全体を、複数の直交サブキャリアへ分割する変調技術である。これらサブキャリアはまた、トーン、ビン等とも称されうる。ＯＦＤＭでは、おのおののサブキャリアは、データと独立して変調される。ＳＣ−ＦＤＭＡシステムは、システム帯域幅にわたって分散されたサブキャリアで送信するインタリーブＦＤＭＡ（ＩＦＤＭＡ）、隣接サブキャリアのブロックで送信するローカライズドＦＤＭＡ（ＬＦＤＭＡ）、あるいは、隣接するサブキャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１９】
直交多重化スキームに基づく通信システムの１つの具体的な例は、ＷｉＭＡＸシステムである。ワールドワイド・インタオペラビリティ・フォー・マイクロウェーブ・アクセスを意味するＷｉＭＡＸは、長距離にわたる高スループット・ブロードバンド接続を提供する規格ベースのブロードバンド無線技術である。今日、ＷｉＭＡＸの２つの主要なアプリケーション、すなわち、固定ＷｉＭＡＸとモバイルＷｉＭＡＸとがある。固定ＷｉＭＡＸアプリケーションは、ポイント・トゥ・マルチポイントであり、例えば家庭および会社へのブロードバンド接続を可能にする。モバイルＷｉＭＡＸは、ブロードバンド速度でセルラ・ネットワークの完全なモビリティを提供する。
【００２０】
ＩＥＥＥ  ８０２．１６ｘは、固定式およびモバイルのブロードバンド無線アクセス（ＢＷＡ）システム用のエア・インタフェースを定義するための新生の規格体系である。これらの規格は、少なくとも４つの異なる物理レイヤ（ＰＨＹ）と、１つの媒体アクセス制御（ＭＡＣ）レイヤとを定義しうる。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００２１】
図１に、本開示の実施形態を使用できる無線通信システム１００の例を示す。この無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局となりうる。基地局１０４は、その代わりに、アクセスポイント、Ｎｏｄｅ  Ｂ、またはある他の用語で称されうる。
【００２２】
図１は、システム１００全体に散在するさまざまなユーザ端末１０６を示す。ユーザ端末１０６は、固定式（すなわち、据え置き式）またはモバイルでありうる。ユーザ端末１０６を、代わりに、遠隔局、アクセス端末、端末、加入者ユニット、移動局、局、ユーザ機器等と称することができる。ユーザ端末１０６は、セルラ電話、携帯情報端末（ＰＤＡ）、ハンドヘルド・デバイス、無線モデム、ラップトップ・コンピュータ、パーソナル・コンピュータ等のような無線デバイスでありうる。
【００２３】
さまざまなアルゴリズムおよび方法を、無線通信システム１００内における基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００２４】
基地局１０４からユーザ端末１０６への送信を容易にする通信リンクは、ダウンリンク（ＤＬ）１０８と称され、ユーザ端末１０６から基地局１０４への送信を容易にする通信リンクは、アップリンク（ＵＬ）１１０と称されうる。あるいは、ダウンリンク１０８を、順方向リンクまたは順方向チャネルと称したり、アップリンク１１０を、逆方向リンクまたは逆方向チャネルと称する場合がある。
【００２５】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２６】
図２に、無線通信システム１００内で使用できる無線デバイス２０２内で利用できるさまざまな構成要素を示す。無線デバイス２０２は、本明細書で説明されるさまざまな方法を実施するために構成され得るデバイスの例である。無線デバイス２０２は、基地局１０４またはユーザ端末１０６でありうる。
【００２７】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを提供する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２８】
無線デバイス２０２は、無線デバイス２０２と遠隔位置との間でのデータの送信および受信を可能にする送信機２１０および受信機２１２を含むことができるハウジング２０８をも含みうる。送信機２１０および受信機２１２を、トランシーバ２１４に組み合わせることができる。アンテナ２１６をハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００２９】
無線デバイス２０２は、トランシーバ２１４によって受信された信号を検出し、そのレベルを定量化する目的で使用される信号検出器２１８をも含むことができる。信号検出器２１８は、合計エネルギ、シンボル毎のサブキャリア毎のエネルギ、電力スペクトル密度、およびその他の信号のような信号を検出しうる。無線デバイス２０２は、信号を処理する際に使用されるデジタル信号プロセッサ（ＤＳＰ）２２０をも含むことができる。
【００３０】
無線デバイス２０２のさまざまな構成要素を、データ・バスに加えて電力バス、制御信号バス、およびステータス信号バスを含むことができるバス・システム２２２によってともに結合することができる。
【００３１】
図３に、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００３２】
送信されるデータ３０６は、シリアル・パラレル（Ｓ／Ｐ）コンバータ３０８に入力として提供されるものとして図示されている。Ｓ／Ｐコンバータ３０８は、送信データを、Ｍ個の並列なデータ・ストリーム３１０へ分割しうる。
【００３３】
その後、Ｍ個の並列なデータ・ストリーム３１０は、マッパ３１２への入力として提供されうる。マッパ３１２は、Ｍ個の並列なデータ・ストリーム３１０を、Ｍ個のコンステレーション・ポイントへマップしうる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｍ個の並列なシンボル・ストリーム３１６を出力しうる。おのおののシンボル・ストリーム３１６は、逆高速フーリエ変換（ＩＦＦＴ）３２０のＭ個の直交サブキャリアのうちの１つに対応する。これらＭ個の並列なシンボル・ストリーム３１６は、周波数領域で表され、ＩＦＦＴ構成要素３２０によって、Ｍ個の並列な時間領域サンプル・ストリーム３１８へ変換されうる。
【００３４】
命名法に関する短い注釈を以下に示す。周波数領域におけるＭ個の並列な変調は、周波数領域におけるＭ個の変調シンボルに等しく、周波数領域におけるＭ個のマッピングおよびＭポイントＩＦＦＴに等しく、時間領域における１つの（有用な）ＯＦＤＭシンボルに等しく、時間領域におけるＭ個のサンプルに等しい。時間領域における１つのＯＦＤＭシンボルＮｓは、Ｎｃｐ（ＯＦＤＭシンボル毎のガード・サンプル数）＋Ｍ（ＯＦＤＭシンボル毎の有用なサンプル数）に等しい。
【００３５】
Ｍ個の並列な時間領域サンプル・ストリーム３１８は、パラレル・シリアル（Ｐ／Ｓ）コンバータ３２４によってＯＦＤＭ／ＯＦＤＭＡシンボル・ストリーム３２２へ変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力が、ラジオ周波数（ＲＦ）フロント・エンド３２８によって所望の送信周波数帯域にアップコンバートされうる。そして、その結果得られた信号３３２を、アンテナ３３０が送信することができる。
【００３６】
図３には、ＯＦＤＭ／ＯＦＤＭＡを利用する無線デバイス２０２内で使用される受信機３０４の例も示されている。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３７】
送信された信号３３２は、無線チャネル３３４を移動して図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００３８】
ガード除去構成要素３２６’の出力は、Ｓ／Ｐコンバータ３２４’に提供されうる。Ｓ／Ｐコンバータ３２４’は、ＯＦＤＭ／ＯＦＤＭＡシンボル・ストリーム３２２’を、Ｍ個の並列な時間領域シンボル・ストリーム３１８’へ分割しうる。これらのおのおのは、Ｍ個の直交サブキャリアのうちの１つに対応する。高速フーリエ変換（ＦＦＴ）構成要素３２０’は、Ｍ個の並列な時間領域シンボル・ストリーム３１８’を、周波数領域へ変換し、Ｍ個の並列な周波数領域シンボル・ストリーム３１６’を出力しうる。
【００３９】
デマッパ３１２’は、マッパ３１２によって実行されたシンボル・マッピング動作の逆を実行し、これによって、Ｍ個の並列なデータ・ストリーム３１０’を出力する。Ｐ／Ｓコンバータ３０８’は、Ｍ個の並列なデータ・ストリーム３１０’を、単一のデータ・ストリーム３０６’へ結合しうる。理想的には、このデータ・ストリーム３０６’は、送信機３０２に入力として提供されたデータ３０６に対応する。要素３０８’、３１０’、３１２’３１６’、３２０’、３１８’および３２４’はすべて、ベースバンド・プロセッサ３４０’で発見されうる。
【００４０】
（典型的な制御メッセージ送信信頼性の向上）  
ＷｉＭＡＸ規格は、移動局（ＭＳ）と基地局（ＢＳ）との間で交換されうる媒体アクセス制御（ＭＡＣ）管理メッセージを定義しうる。ＭＳとＢＳとの間でＭＡＣ管理メッセージを交換する２つの一般的なシナリオ、すなわち、ＭＳ開始シナリオおよびＢＳ開始シナリオがある。本開示のある実施形態は、ＭＳ開始シナリオに当てはまる。ここでは、先ずＭＳが要求タイプのＭＡＣ管理メッセージを送信し、次にＢＳが応答タイプのＭＡＣ管理メッセージを送信しうる。
【００４１】
例えばＭＯＢ＿ＳＬＰ−ＲＳＰメッセージ、ＭＯＢ＿ＳＣＮ−ＲＳＰメッセージ、およびＭＯＢ＿ＤＲＥＧ−ＣＭＤメッセージのようなあるＭＡＣ管理応答メッセージは、ＭＳの動作状態に影響を及ぼしうる。したがって、これらの制御メッセージは一般に、高い送信信頼性を必要とする。ＭＳがＢＳからＭＡＣ管理応答メッセージを正しく受信しない場合、ＭＳの動作モードおよびＢＳの動作モードは、同期されない。これは、スループットの損失あるいは、コールの喪失をもたらしうる。
【００４２】
図４は、ＢＳ側からＭＳ側へのＭＡＣ管理応答メッセージの不成功に終わった送信の２つの例を例示する。一例において、ＭＳは、モバイル・スリープ要求（ＭＯＢ＿ＳＬＰ−ＲＥＱ）メッセージ４０２をＢＳに送信することによって、ＭＡＣ管理メッセージの交換を開始し、スリープ・モードに入ることを要求する。ＭＯＢ＿ＳＬＰ−ＲＥＱメッセージ４０２を受信後、ＢＳは、ＭＯＢ＿ＳＬＰ−ＲＳＰメッセージ４０４を用いて応答しうる。しかしながら、ＭＳは、図４に例示するように、ＭＯＢ＿ＳＬＰ−ＲＳＰメッセージを受信せず、ＭＳはいまだに通常モード４１８にありうる。しかし、ＢＳは、スリープ・スケジュールがＭＳ側ですでに開始されたと仮定しうる。したがって、ＢＳは、予期されたスリープ期間４０６中、ＭＳへのデータ送信をスケジュールせず、リスニング期間４０８においてのみデータが送信されうるので、スループットが実質的に低減されうる。
【００４３】
別の例において、ＭＳは、モバイル登録解除要求（ＭＯＢ＿ＤＲＥＧ−ＲＥＱ）メッセージ４１０をサービス提供ＢＳへ送信することによって、ＭＡＣ管理メッセージの交換を開始し、アイドル・モードに入ることを求める。ＭＯＢ＿ＤＲＥＧ−ＲＥＱメッセージ４１０の受信後、ＢＳは、ＭＯＢ＿ＤＲＥＧ−ＣＭＤメッセージ４１２をもって応答しうる。しかしながら、図４に例示するように、ＭＳは、ＭＯＢ＿ＤＲＥＧ−ＣＭＤメッセージ４１２を受信せず、ＭＳは、未だにトラフィック・モード４１６にありうる。しかし、ＢＳは、ＭＳがアイドル・モード４１４にあると仮定しうる。ＭＳは、これによってトラフィック・モードにあるものの、ＢＳは、すべての接続を含むＭＳの現在のコンテキストを解放しうる。したがって、コールが喪失されうる。
【００４４】
このような問題を回避するために、本開示のある実施形態は、可能な帯域幅オーバヘッドを考慮しながら、ＢＳからＭＳへＭＡＣ管理応答メッセージを送信するロバストさを高めるいくつかの方法を提案する。本明細書で提案された技術を適用することによって、ＭＳ側においてＭＡＣ管理応答メッセージを正しく受信する可能性が高められる。
【００４５】
本開示のある実施形態の場合、ＭＳのキャリア対干渉および雑音比（ＣＩＮＲ）に関する情報が、ＢＳ側で利用可能ではないまま、ＢＳは、ＭＡＣ管理応答メッセージを送信するために、通常のデータ・バーストよりもよりロバストな変調および符号化スキームを利用しうる。例えば、ＭＡＣ管理応答メッセージを含むデータ・バーストを送信するために、および、ＤＬ−ＭＡＰメッセージを送信するために、同じ変調および符号化スキーム（ＭＣＳ）が利用されうる。ある実施形態にしたがって、帯域幅オーバヘッドを制限するために、かつ、よりロバストではない変調および符号化スキームで他のトラフィック・データを送信できるようにするために、制限された数のＭＡＣ管理応答メッセージが、実質的によりロバストなバースト・プロファイルで送信されうる。
【００４６】
本開示のある実施形態の場合、ＭＳ側からレポートされたＣＩＮＲ値が、ＢＳ側で知られている間、ＢＳは、ＭＡＣ管理応答メッセージを送信するために、通常のデータ・バーストの場合よりも、よりロバストなＭＣＳを利用しうる。利用されるロバストさのレベルは、ＢＳにおいて知られている、ＭＳによってレポートされたＣＩＮＲについて、予め定義された誤り率をＭＳ側で達成するのに十分な最低レベルのロバストさよりも高くなりうる。したがって、ＭＡＣ管理応答メッセージのデータ・バーストを送信するために使用されるＭＣＳは、  
ＣＩＮＲｔａｒｇｅｔ＝ＣＩＮＲｒｅｐｏｒｔｅｄ−Ｕ、        （１）  
によって与えられるＣＩＮＲ値に関し、ＭＳ側で予め定められたターゲット誤り率を満足するために十分ロバストであることが必要とされる。ここで、ＣＩＮＲｒｅｐｏｒｔｅｄは、ＭＳによってレポートされ、ＢＳ側で知られているＣＩＮＲ値であり、Ｕは、バックオフ値であり、ＣＩＮＲｔａｒｇｅｔは、絶対スケールで、または、ｄＢ（デシベル）単位で表される。
【００４７】
図５は、本開示のある実施形態について、制御メッセージの送信信頼性を向上するための動作５００例を例示する。ここでは、同じＭＡＣ管理応答メッセージが、最終的に再送信が成功するまで、複数回数送信され、バースト・プロファイルのロバストさが高められる。動作５００は、例えば、ＢＳによって実行されうる。
【００４８】
５１０では、ＢＳは、ＭＳから新たなＭＡＣ管理要求メッセージを受信しうる。５２０では、ＢＳは、ＭＳ側においてより高い確率で受信が成功するために、通常のデータ・バーストよりもよりロバストな変調および符号化スキームでＭＡＣ管理応答メッセージをＭＳへ送信しうる。一定期間後、ＭＳが（５３０で判定されたように）同じＭＡＣ管理要求メッセージまたはネガティブなアクノレッジ・メッセージをＢＳへ送信しない場合、５４０において、ＭＡＣ管理応答メッセージの送信が成功したことが確認されうる。
【００４９】
一方、（５３０で判定されたように）予め定義された期間が終了する前か、あるいは、ネガティブなアクノレッジ・メッセージの前に、ＭＳが、同じＭＡＣ管理要求メッセージを再送信した場合、ＭＡＣ管理応答メッセージの送信は成功しない。この場合、５５０において、同じＭＡＣ管理応答メッセージの前の送信のために利用されるバースト・プロファイルと比べて、バースト・プロファイルのロバストさがより高められうる。ＢＳ側とＭＳ側との間の通信リンクの帯域幅オーバヘッドを制限するために、予め定義された最大レベルのロバストさに達するまで、バースト・プロファイルのロバストさが高められる。５６０では、ＢＳは、ステップ５５０で設定されたバースト・プロファイルのロバストさのレベルで、同じＭＡＣ管理応答メッセージをＭＳへ再送信しうる。
【００５０】
図６は、制御メッセージの送信信頼性を向上するためのＢＳとＭＳとの間のシグナリングの例を例示する。ここでは、同じＭＡＣ管理応答メッセージが、最終的に再送信が成功するまで、バースト・プロファイルのロバスト性が高められて、複数回数送信されうる。ＭＳは、例えば図６に例示するＭＯＢ＿ＳＬＰ−ＲＥＱメッセージ６０２のようなＭＡＣ管理要求メッセージを送信することによって、ＢＳとの制御メッセージの交換を開始しうる。ＢＳは、ＭＡＣ管理メッセージの受信後、この典型的な場合においては、ＭＯＢ＿ＳＬＰ−ＲＳＰメッセージ６０４のようなＭＡＣ管理応答メッセージおよびＤＬ−ＭＡＰメッセージ６１２をもって応答しうる。
【００５１】
ＭＡＣ管理応答メッセージのデータ・バーストを送信するために利用される変調および符号化スキームは、以下のＣＩＮＲ値に関し、ＭＳ側において、予め定義されたターゲット誤り率を達成するのに十分ロバストである必要がある。  
ＣＩＮＲｔａｒｇｅｔ（ｉ）＝ＣＩＮＲｒｅｐｏｒｔｅｄ−Ｕ（ｉ）、      （２）  
ここで、ＣＩＮＲｒｅｐｏｒｔｅｄは、図６から、ＭＳがレポートしたＣＩＮＲ値であり、Ｕ（ｉ）は、同じＭＡＣ管理応答メッセージの第ｉの送信（ｉ＝１，２，・・・）のバックオフ値であり、ＣＩＮＲｔａｒｇｅｔ（ｉ）は、絶対スケールまたはｄＢ単位で表されうる。
【００５２】
ＢＳがＭＡＣ管理応答メッセージをＭＳへ送信すると、ＢＳは、ＭＳによって開始されたＭＡＣ管理要求メッセージの再送信タイマよりもわずかに長いタイマＴを起動しうる。あらかじめ定めた時間Ｔが終了する前に、ＢＳが、同じＭＡＣ管理要求メッセージを受信した場合、ＢＳは、図６に例示するように、ＭＯＢ＿ＳＬＰ−ＲＳＰメッセージ６０４’の次の再送信のために式（２）で定義されたバックオフ値を増加させる。すなわち、Ｕ（ｉ＋１）＞Ｕ（ｉ）となる。したがって、第ｉの送信のために使用されるＣＩＮＲ値よりも低いＣＩＮＲに関し、ＭＳにおいて予め定義されたターゲット誤り率を達成するために、よりロバストな変調および符号化スキームが、ＭＡＣ管理応答メッセージの再送信のために使用されうる。同じＭＡＣ管理応答メッセージの第（ｉ＋１）の送信のためのターゲットＣＩＮＲ値が、  
ＣＩＮＲｔａｒｇｅｔ（ｉ＋１）＝ＣＩＮＲｒｅｐｏｒｔｅｄ−Ｕ（ｉ＋１）．（３）
のように決定されうる。
【００５３】
ＭＡＣ管理応答メッセージを再送信するために利用される変調および符号化スキームのロバストさは、予め定義された最もロバストなバースト・プロファイルに達するまで高められる（すなわち、図６に示すように、ＭＯＢ＿ＳＬＰ−ＲＳＰメッセージ６０４’’は、ＭＯＢ＿ＳＬＰ−ＲＳＰメッセージ６０４’よりもロバストである）。バースト・プロファイルのロバストさを予め定義された最大レベルに限定することによって、利用されるチャネル帯域幅のオーバヘッドは上限となる。
【００５４】
本開示のある実施形態の場合、ＭＳ側において、ＣＩＮＲに関する情報が、ＢＳ側において利用可能ではない間、ＭＡＣ管理応答メッセージのロバストさが、１つの送信から別の送信へと高められる。まず、ＢＳは、バースト・プロファイルｂ（ｉ）を持つＭＡＣ管理応答メッセージのデータ・バーストを送信するために、変調および符号化スキームを利用しうる。ＢＳがＭＡＣ管理応答メッセージをＭＳへ送信すると、ＢＳは、ＭＳから送信されたＭＡＣ管理要求メッセージの再送信タイマよりもわずかに長くタイマを起動させうる。タイマが終了する前に、ＢＳが、同じＭＡＣ管理要求メッセージを受信すると、ＢＳは、前に使用したバースト・プロファイルｂ（ｉ）よりもよりロバストなバースト・プロファイルｂ（ｉ＋１）を使用しうる。次の各再送信のバースト・プロファイルは、予め定義された最もロバストなバースト・プロファイルが利用されるまで、前のバースト・プロファイルに比べてよりロバストでありうる。
【００５５】
図７は、制御メッセージの送信信頼性を向上するためのＢＳとＭＳとの間のシグナリングの別の例を例示する。ここでは、同じＭＡＣ管理応答メッセージが、再送信が最終的に成功するまで、バースト・プロファイルのロバストさを高めながら、ハイブリッド自動反復要求（ＨＡＲＱ）チャネルで複数回再送信されうる。ＭＳは、図７に例示されるＭＯＢ＿ＳＬＰ−ＲＥＱメッセージ７０２のようなＭＡＣ管理要求メッセージを送信することによって、ＢＳと、制御メッセージの交換を開始しうる。
【００５６】
ＢＳは、ＭＡＣ管理メッセージの受信後、ＨＡＲＱチャネルで（例えばＭＯＢ＿ＳＬＰ−ＲＳＰメッセージ７０４のような）ＭＡＣ管理応答メッセージおよびＤＬ−ＭＡＰメッセージ７１２を送信することによって応答しうる。図７に例示されるように、変調および符号化スキームは、ＭＡＣ管理応答メッセージのデータ・バーストｂ（ｉ）を送信するために、バースト・プロファイルを利用しうる。ＢＳが、ハイブリッド自動反復要求ネガティブ・アクノレッジメント（ＨＡＲＱ−ＮＡＣＫ）メッセージ７０８をＭＳから受信すると、送信は不成功に終わり、ＢＳは、ＭＯＢ＿ＳＬＰ−ＲＳＰメッセージ７０４’を用いて、図７に例示するように、前のバースト・プロファイルｂ（ｉ）よりもよりロバストなバースト・プロファイルｂ（ｉ＋１）でＭＡＣ管理応答メッセージを再送信しうる。再送信されたＭＡＣ管理応答メッセージのロバストさは、予め定義された最もロバストなバースト・プロファイルが利用されるまで、さらに高められる（すなわち、ＭＯＢ＿ＳＬＰ−ＲＳＰメッセージ７０４’’は、ＭＯＢ＿ＳＬＰ−ＲＳＰメッセージ７０４’よりもよりロバストである）。
【００５７】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。例えば、図５に例示されるブロック５１０−５６０は、図５Ａに例示されるｍｅａｎｓ−ｐｌｕｓ−ｆｕｎｃｉｔｏｎブロックに対応する。５６０は、図５Ａに例示されるｍｅａｎｓ−ｐｌｕｓ−ｆｕｎｃｉｔｏｎブロックに対応する。より一般的には、対応するｍｅａｎｓ−ｐｌｕｓ−ｆｕｎｃｉｔｏｎブロック図を有する図面に例示された方法がある場合、動作ブロックは、同様に付番されたｍｅａｎｓ−ｐｌｕｓ−ｆｕｎｃｉｔｏｎブロックに対応する。
【００５８】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【００５９】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００６０】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００６１】
記載された機能は、ハードウェア、ソフトウェア、ファームウェア、またはこれら任意の組み合わせによって実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）およびブルー・レイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００６２】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００６３】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００６４】
特許請求の範囲は、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
以下に、本願出願の当初の特許請求の範囲に記載された発明を付記する。
［Ｃ１］
無線通信システムのための方法であって、
移動局から媒体アクセス制御（ＭＡＣ）管理メッセージを受信することと、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信することと
を備える方法。
［Ｃ２］
前記第１のＭＣＳはまた、ダウンリンクＭＡＰメッセージを送信するためにも使用されるＣ１に記載の方法。
［Ｃ３］
前記ＭＡＣ管理メッセージに対する１つの応答のみが、前記第１のＭＣＳを用いて、第１のデータ・バーストで送信されるＣ１に記載の方法。
［Ｃ４］
無線通信システムのための方法であって、
移動局から媒体アクセス制御（ＭＡＣ）管理メッセージを受信することと、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信することとを備え、
前記第１のデータ・バーストのロバストさのレベルは、予め定義されたターゲット誤り率を、レポートされたキャリア対干渉および雑音比（ＣＩＮＲ）の値よりも低い値で達成するように設定される方法。
［Ｃ５］
無線通信システムのための方法であって、
移動局から媒体アクセス制御（ＭＡＣ）管理メッセージを受信することと、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信することと、
前記ＭＡＣ管理メッセージに対する応答が、前の送信中に、移動局で正しく受信されなかった場合、前記ＭＡＣ管理メッセージに対する応答の再送信のために使用される前記第１のデータ・バーストのロバストさのレベルを、前記前の送信に対して上げることと、
前記ＭＡＣ管理メッセージに対する応答が、前記移動局において正しく受信されるまで、前記ＭＡＣ管理メッセージに対する応答を再送信することと
を備える方法。
［Ｃ６］
前記第１のデータ・バーストのロバストさのレベルは、予め定義された誤り率を、第１のキャリア対干渉および雑音比（ＣＩＮＲ）の値において達成するように初期設定されるＣ５に記載の方法。
［Ｃ７］
前記ＭＡＣ管理メッセージに対する応答の第２の送信のために使用される前記第１のデータ・バーストのロバストさのレベルは、前記予め定義された誤り率を、第２のＣＩＮＲの値において達成するように設定され、前記第２のＣＩＮＲの値は、前記第１のＣＩＮＲの値よりも小さいＣ６に記載の方法。
［Ｃ８］
前記ＭＡＣ管理メッセージに対する応答の第ｋの送信のために使用される前記第１のデータ・バーストのロバストさのレベルは、前記予め定義された誤り率を、第ｋのＣＩＮＲの値において達成するように設定され、前記ｋのＣＩＮＲの値は、第（ｋ−１）のＣＩＮＲの値よりも小さく、ｋ＞２であるＣ６に記載の方法。
［Ｃ９］
前記ＭＡＣ管理メッセージに対する応答を再送信するために使用される前記第１のデータ・バーストのロバストさのレベルは、予め定義された最大レベルのロバストさに達するまで高められるＣ５に記載の方法。
［Ｃ１０］
予め定義された期間が経過する前に前記ＭＡＣ管理メッセージが受信された場合、前記ＭＡＣ管理メッセージに対する応答は、前記移動局へ正しく送信されないＣ５に記載の方法。
［Ｃ１１］
前記ＭＡＣ管理メッセージに対する応答を送信するために、ハイブリッド自動反復要求（ＨＡＲＱ）チャネルが利用されるＣ５に記載の方法。
［Ｃ１２］
ハイブリッド自動反復要求ネガティブ・アクノレッジメント（ＨＡＲＱ−ＮＡＣＫ）メッセージが受信された場合、前記ＭＡＣ管理メッセージに対する応答は、前記移動局に正しく送信されないＣ１１に記載の方法。
［Ｃ１３］
前記ＨＡＲＱチャネルにおいて、第（ｋ−１）の送信のために使用されるロバストさのレベルよりも大きなロバストさのレベルで、前記ＭＡＣ管理メッセージに対する同じ応答をｋ回送信することをさらに備え、ｋ＞１であるＣ１２に記載の方法。
［Ｃ１４］
前記ＭＡＣ管理メッセージに対する応答を送信するために使用されるロバストさのレベルは、第（ｋ−１）の送信から第ｋの送信へと、予め定義された最大レベルのロバストさに達するまで高められるＣ１３に記載の方法。
［Ｃ１５］
無線通信システムのための装置であって、
移動局から媒体アクセス制御（ＭＡＣ）管理メッセージを受信するためのロジックと、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信するためのロジックと
を備える装置。
［Ｃ１６］
前記第１のＭＣＳはまた、ダウンリンクＭＡＰメッセージを送信するためにも使用されるＣ１５に記載の装置。
［Ｃ１７］
前記ＭＡＣ管理メッセージに対する１つの応答のみが、前記第１のＭＣＳを用いて、第１のデータ・バーストで送信されるＣ１５に記載の装置。
［Ｃ１８］
無線通信システムのための装置であって、
移動局から媒体アクセス制御（ＭＡＣ）管理メッセージを受信するためのロジックと、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信するためのロジックとを備え、
前記第１のデータ・バーストのロバストさのレベルは、予め定義されたターゲット誤り率を、レポートされたキャリア対干渉および雑音比（ＣＩＮＲ）の値よりも低い値で達成するように設定される装置。
［Ｃ１９］
無線通信システムのための装置であって、
移動局から媒体アクセス制御（ＭＡＣ）管理メッセージを受信するためのロジックと、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信するためのロジックと、
前記ＭＡＣ管理メッセージに対する応答が、前の送信中に、移動局で正しく受信されなかった場合、前記ＭＡＣ管理メッセージに対する応答の再送信のために使用される第１のデータ・バーストのロバストさのレベルを、前記前の送信に対して上げるためのロジックと、
前記ＭＡＣ管理メッセージに対する応答が、移動局において正しく受信されるまで、ＭＡＣ管理メッセージに対する応答を再送信するためのロジックと
を備える装置。
［Ｃ２０］
前記第１のデータ・バーストのロバストさのレベルは、予め定義された誤り率を、第１のキャリア対干渉および雑音比（ＣＩＮＲ）の値において達成するように初期設定されるＣ１９に記載の装置。
［Ｃ２１］
前記ＭＡＣ管理メッセージに対する応答の第２の送信のために使用される前記第１のデータ・バーストのロバストさのレベルは、前記予め定義された誤り率を、第２のＣＩＮＲの値において達成するように設定され、前記第２のＣＩＮＲの値は、前記第１のＣＩＮＲの値よりも小さいＣ２０に記載の装置。
［Ｃ２２］
前記ＭＡＣ管理メッセージに対する応答の第ｋの送信のために使用される前記第１のデータ・バーストのロバストさのレベルは、前記予め定義された誤り率を、第ｋのＣＩＮＲの値において達成するように設定され、前記ｋのＣＩＮＲの値は、第（ｋ−１）のＣＩＮＲの値よりも小さく、ｋ＞２であるＣ２０に記載の装置。
［Ｃ２３］
前記ＭＡＣ管理メッセージに対する応答を再送信するために使用される前記第１のデータ・バーストのロバストさのレベルは、予め定義された最大レベルのロバストさに達するまで高められるＣ１９に記載の装置。
［Ｃ２４］
予め定義された期間が経過する前に前記ＭＡＣ管理メッセージが受信された場合、前記ＭＡＣ管理メッセージに対する応答は、前記移動局へ正しく送信されないＣ１９に記載の装置。
［Ｃ２５］
前記ＭＡＣ管理メッセージに対する応答を送信するために、ハイブリッド自動反復要求（ＨＡＲＱ）チャネルが利用されるＣ１９に記載の装置。
［Ｃ２６］
ハイブリッド自動反復要求ネガティブ・アクノレッジメント（ＨＡＲＱ−ＮＡＣＫ）メッセージが受信された場合、前記ＭＡＣ管理メッセージに対する応答は、前記移動局に正しく送信されないＣ２５に記載の装置。
［Ｃ２７］
前記ＨＡＲＱチャネルにおいて、第（ｋ−１）の送信のために使用されるロバストさのレベルよりも大きなロバストさのレベルで、前記ＭＡＣ管理メッセージに対する同じ応答をｋ回送信するためのロジックをさらに備え、ｋ＞１であるＣ２６に記載の装置。
［Ｃ２８］
前記ＭＡＣ管理メッセージに対する応答を送信するために使用されるロバストさのレベルは、第（ｋ−１）の送信から第ｋの送信へと、予め定義された最大レベルのロバストさに達するまで高められるＣ２７に記載の装置。
［Ｃ２９］
無線通信システムのための装置であって、
移動局から媒体アクセス制御（ＭＡＣ）管理メッセージを受信する手段と、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信する手段と
を備える装置。
［Ｃ３０］
前記第１のＭＣＳはまた、ダウンリンクＭＡＰメッセージを送信するためにも使用されるＣ２９に記載の装置。
［Ｃ３１］
前記ＭＡＣ管理メッセージに対する１つの応答のみが、前記第１のＭＣＳを用いて、第１のデータ・バーストで送信されるＣ２９に記載の装置。
［Ｃ３２］
無線通信システムのための装置であって、
移動局から媒体アクセス制御（ＭＡＣ）管理メッセージを受信する手段と、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信する手段とを備え、
前記第１のデータ・バーストのロバストさのレベルは、予め定義されたターゲット誤り率を、レポートされたキャリア対干渉および雑音比（ＣＩＮＲ）の値よりも低い値で達成するように設定される装置。
［Ｃ３３］
無線通信システムための装置であって、
移動局から媒体アクセス制御（ＭＡＣ）管理メッセージを受信する手段と、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信する手段と、
前記ＭＡＣ管理メッセージに対する応答が、前の送信中に、移動局で正しく受信されなかった場合、前記ＭＡＣ管理メッセージに対する応答の再送信のために使用される第１のデータ・バーストのロバストさのレベルを、前記前の送信に対して上げる手段と、
前記ＭＡＣ管理メッセージに対する応答が、前記移動局において正しく受信されるまで、前記ＭＡＣ管理メッセージに対する応答を再送信する手段と
を備える装置。
［Ｃ３４］
前記第１のデータ・バーストのロバストさのレベルは、予め定義された誤り率を、第１のキャリア対干渉および雑音比（ＣＩＮＲ）の値において達成するように初期設定されるＣ３３に記載の装置。
［Ｃ３５］
前記ＭＡＣ管理メッセージに対する応答の第２の送信のために使用される前記第１のデータ・バーストのロバストさのレベルは、前記予め定義された誤り率を、第２のＣＩＮＲの値において達成するように設定され、前記第２のＣＩＮＲの値は、前記第１のＣＩＮＲの値よりも小さいＣ３４に記載の装置。
［Ｃ３６］
前記ＭＡＣ管理メッセージに対する応答の第ｋの送信のために使用される前記第１のデータ・バーストのロバストさのレベルは、前記予め定義された誤り率を、第ｋのＣＩＮＲの値において達成するように設定され、前記ｋのＣＩＮＲの値は、第（ｋ−１）のＣＩＮＲの値よりも小さく、ｋ＞２であるＣ３４に記載の装置。
［Ｃ３７］
前記ＭＡＣ管理メッセージに対する応答を再送信するために使用される前記第１のデータ・バーストのロバストさのレベルは、予め定義された最大レベルのロバストさに達するまで高められるＣ３３に記載の装置。
［Ｃ３８］
予め定義された期間が経過する前に前記ＭＡＣ管理メッセージが受信された場合、前記ＭＡＣ管理メッセージに対する応答は、前記移動局へ正しく送信されないＣ３３に記載の装置。
［Ｃ３９］
前記ＭＡＣ管理メッセージに対する応答を送信するために、ハイブリッド自動反復要求（ＨＡＲＱ）チャネルが利用されるＣ３３に記載の装置。
［Ｃ４０］
ハイブリッド自動反復要求ネガティブ・アクノレッジメント（ＨＡＲＱ−ＮＡＣＫ）メッセージが受信された場合、前記ＭＡＣ管理メッセージに対する応答は、前記移動局に正しく送信されないＣ３９に記載の装置。
［Ｃ４１］
前記ＨＡＲＱチャネルにおいて、第（ｋ−１）の送信のために使用されるロバストさのレベルよりも大きなロバストさのレベルで、前記ＭＡＣ管理メッセージに対する同じ応答をｋ回送信することをさらに備え、ｋ＞１であるＣ４０に記載の装置。
［Ｃ４２］
前記ＭＡＣ管理メッセージに対する応答を送信するために使用されるロバストさのレベルは、第（ｋ−１）の送信から第ｋの送信へと、予め定義された最大レベルのロバストさに達するまで高められるＣ４１に記載の装置。
［Ｃ４３］
１または複数のプロセッサによって実行可能な、格納された命令群を有するコンピュータ読取可能媒体を備える、無線通信システムのためのコンピュータ・プログラム製品であって、前記命令群は、
移動局から媒体アクセス制御（ＭＡＣ）管理メッセージを受信するための命令群と、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信するための命令群と
を備えるコンピュータ・プログラム製品。
［Ｃ４４］
前記第１のＭＣＳはまた、ダウンリンクＭＡＰメッセージを送信するためにも使用されるＣ４３に記載のコンピュータ・プログラム製品。
［Ｃ４５］
前記ＭＡＣ管理メッセージに対する１つの応答のみが、前記第１のＭＣＳを用いて、第１のデータ・バーストで送信されるＣ４３に記載のコンピュータ・プログラム製品。
［Ｃ４６］
１または複数のプロセッサによって実行可能な、格納された命令群を有するコンピュータ読取可能媒体を備える、無線通信システムのためのコンピュータ・プログラム製品であって、前記命令群は、
移動局から媒体アクセス制御（ＭＡＣ）管理メッセージを受信するための命令群と、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信するための命令群とを備え、
前記第１のデータ・バーストのロバストさのレベルは、予め定義されたターゲット誤り率を、レポートされたキャリア対干渉および雑音比（ＣＩＮＲ）の値よりも低い値で達成するように設定されるコンピュータ・プログラム製品。
［Ｃ４７］
１または複数のプロセッサによって実行可能な、格納された命令群を有するコンピュータ読取可能媒体を備える、無線通信システムのためのコンピュータ・プログラム製品であって、前記命令群は、
移動局から媒体アクセス制御（ＭＡＣ）管理メッセージを受信するための命令群と、
第２のデータ・バーストを送信するために使用される第２の変調および符号化スキーム（ＭＣＳ）よりもよりロバストな第１のＭＣＳを用いて、第１のデータ・バーストで、前記ＭＡＣ管理メッセージに対する応答を送信するための命令群と、
前記ＭＡＣ管理メッセージに対する応答が、前の送信中に、移動局で正しく受信されなかった場合、前記ＭＡＣ管理メッセージに対する応答の再送信のために使用される第１のデータ・バーストのロバストさのレベルを、前記前の送信に対して上げるための命令群と、
前記ＭＡＣ管理メッセージに対する応答が、前記移動局において正しく受信されるまで、前記ＭＡＣ管理メッセージに対する応答を再送信するための命令群と
を備えるコンピュータ・プログラム製品。
［Ｃ４８］
前記第１のデータ・バーストのロバストさのレベルは、予め定義された誤り率を、第１のキャリア対干渉および雑音比（ＣＩＮＲ）の値において達成するように初期設定されるＣ４７に記載のコンピュータ・プログラム製品。
［Ｃ４９］
前記ＭＡＣ管理メッセージに対する応答の第２の送信のために使用される前記第１のデータ・バーストのロバストさのレベルは、前記予め定義された誤り率を、第２のＣＩＮＲの値において達成するように設定され、前記第２のＣＩＮＲの値は、前記第１のＣＩＮＲの値よりも小さいＣ４８に記載のコンピュータ・プログラム製品。
［Ｃ５０］
前記ＭＡＣ管理メッセージに対する応答の第ｋの送信のために使用される前記第１のデータ・バーストのロバストさのレベルは、前記予め定義された誤り率を、第ｋのＣＩＮＲの値において達成するように設定され、前記ｋのＣＩＮＲの値は、第（ｋ−１）のＣＩＮＲの値よりも小さく、ｋ＞２であるＣ４８に記載のコンピュータ・プログラム製品。
［Ｃ５１］
前記ＭＡＣ管理メッセージに対する応答を再送信するために使用される前記第１のデータ・バーストのロバストさのレベルは、予め定義された最大レベルのロバストさに達するまで高められるＣ４７に記載のコンピュータ・プログラム製品。
［Ｃ５２］
予め定義された期間が経過する前に前記ＭＡＣ管理メッセージが受信された場合、前記ＭＡＣ管理メッセージに対する応答は、前記移動局へ正しく送信されないＣ４７に記載のコンピュータ・プログラム製品。
［Ｃ５３］
前記ＭＡＣ管理メッセージに対する応答を送信するために、ハイブリッド自動反復要求（ＨＡＲＱ）チャネルが利用されるＣ４７に記載のコンピュータ・プログラム製品。
［Ｃ５４］
ハイブリッド自動反復要求ネガティブ・アクノレッジメント（ＨＡＲＱ−ＮＡＣＫ）メッセージが受信された場合、前記ＭＡＣ管理メッセージに対する応答は、前記移動局に正しく送信されないＣ５３に記載のコンピュータ・プログラム製品。
［Ｃ５５］
前記命令群はさらに、前記ＨＡＲＱチャネルにおいて、第（ｋ−１）の送信のために使用されるロバストさのレベルよりも大きなロバストさのレベルで、前記ＭＡＣ管理メッセージに対する同じ応答をｋ回送信するための命令群をさらに備え、ｋ＞１であるＣ５４に記載のコンピュータ・プログラム製品。
［Ｃ５６］
前記ＭＡＣ管理メッセージに対する応答を送信するために使用されるロバストさのレベルは、第（ｋ−１）の送信から第ｋの送信へと、予め定義された最大レベルのロバストさに達するまで高められるＣ５５に記載のコンピュータ・プログラム製品。
【図１】
0005602767.tif 000002
【図２】
0005602767.tif 000003
【図３】
0005602767.tif 000004
【図４】
0005602767.tif 000005
【図５】
0005602767.tif 000006
【図５Ａ】
0005602767.tif 000007
【図６】
0005602767.tif 000008
【図７】
0005602767.tif 000009